(57)【特許請求の範囲】
【請求項１】
被検者の被検眼を自覚的に検査する自覚式検査手段と、
前記被検眼を他覚的に検査する他覚式検査手段と、
他覚式検眼時の前記被検眼の高さ位置を検出する検出手段と、
前記検出手段の検出結果を基にして、前記被検眼の高さ位置に合うように前記自覚式検査手段を移動させる制御を行う制御手段とを有することを特徴とする視機能検査システム。
【発明の詳細な説明】
【０００１】
【発明の属する技術分野】
本発明は、他覚式検眼および自覚式検眼を行うことが可能な視機能検査システムに関する。
【０００２】
【従来の技術】
従来、視機能検査では、まず、検眼テーブルに設けられている上下移動スイッチにより被検者の眼の高さに合うと思われる位置に検眼テーブルを上下に移動させ、さらに、検者が手動で被検者の眼の前に検眼テーブル上に配置されている他覚式検眼装置を移動させて制御レバーであるジョイスティックを用いて被検者の眼の高さ位置を合わせて他覚式検眼を行っている。次に、他覚式検眼装置を被検者の眼の前から退避させた後、検眼テーブルに設けられている上下移動および回転可能な検眼アームを用いて自覚式検眼装置を移動させ被検者の眼の高さの位置に合わせて自覚式検眼を行っている。このように、他覚式検眼装置においても自覚式検眼装置においてもそれぞれ独立して被検者の眼の高さに合わせる作業が必要となっていた。
【０００３】
【発明が解決しようとする課題】
しかし、上述した検眼アームを用いて自覚式検眼装置を被検者の眼の高さの位置に合わせる作業においては、検眼アームが重いために検眼アーム自体の動作が遅くなったり、検眼アームに引っかかりが生じたりといった問題があり、検者の操作性が良くなく、自覚式検眼装置を被検者の眼の高さの位置に瞬時に合わせることが困難であった。
【０００４】
また、他覚式検眼装置と自覚式検眼装置を用いた視力の検査等では、上述したようにそれぞれの検眼装置を独立して被検者の眼の高さに合わせる作業が必要なため、検査に時間や手間がかかるという問題があった。
【０００５】
本発明は上記事情に鑑みてなされたものであり、本発明の目的は、被験者が検眼テーブルと対になっているイスに座った時に被験者の被検眼の高さ位置を検出し、検出した被検眼の高さ位置情報を基にして種々の視機能検査装置を自動的に検査可能状態にする視機能検査システムを提供することである。
【０００６】
【課題を解決するための手段】
上記課題を解決するために、本発明の視機能検査システムは、被検者の被検眼を自覚的に検査する自覚式検査手段と、前期被検眼を他覚的に検査する他覚式検査手段と、他覚式検眼時の前記被検眼の高さ位置を検出する検出手段と、前記検出手段の検出結果を基にして、前記被検眼の高さ位置に合うように前記自覚式検査手段を移動させる制御を行う制御手段とを有することを特徴とする。
【００１３】
【発明の実施の形態】
以下、本発明の実施の形態の視機能検査システムについて図面を参照して説明する。
【００１４】
（実施の形態１）
本発明の第１の実施の形態では、他覚式検眼装置によるアライメントによって被検者の被検眼の高さ位置情報を取得し、この高さ位置情報を基にして自覚式検眼装置や視力表表示装置をそれぞれ検査可能状態にしている。図１は本発明の第１の実施の形態の視機能検査システムの概略構成を示す外観図、図２は本発明の第１の実施の形態の視機能検査システムの概略構成を上から見た図、図３は本発明の第１の実施の形態の視機能検査システムの構成を示すブロック図である。図１、図２、および図３において、本発明の第１の実施の形態の視機能検査システムは、検眼テーブル１、レフラクトメータ等の他覚式検眼装置２、自覚式検眼装置３、および視力表表示装置４によって構成される。
【００１５】
検眼テーブル１は、検眼テーブル１全体の制御を行うＣＰＵ（中央処理装置）１ａ、各種動作処理プログラムを記憶するプログラムメモリ１ｂ、後述する被検者の被検眼の高さ位置情報等を記憶するメモリ１ｃ、インターフェース１ｄ、駆動回路１ｅ、１ｆ、１ｇ、他覚式検眼装置２をイス５に座った被検者の顔の前にＺ１方向に沿ってスライドして移動させる操作等を検者が行うための操作ユニット１ｈ、他覚式検眼装置２によって検出された被検者の被検眼の高さ位置情報を光信号として視力表表示装置４に送信する光送信ユニット１ｊ、支柱１１や検眼アーム１２等からなり自覚式検眼装置３を被検者の顔の前にＺ２方向に沿って移動させる自覚式検眼装置移動機構１ｌ、他覚式検眼装置２をＺ１方向に沿ってスライドして移動させる他覚式検眼装置移動機構１ｍ、および照明ユニット１３から構成されている。
【００１６】
他覚式検眼装置２は、他覚式検眼装置２全体の制御を行うＣＰＵ２ａ、ジョイスティック等の制御レバーからなる操作ユニット２ｂ、被検者の前眼部像等を表示する表示ユニット２ｃ、検眼結果を印刷するプリンタ２ｄ、図示しない検眼ユニットを上下左右（Ｘ方向およびＹ方向）に移動させるＸＹ方向移動機構２ｅ、検眼ユニットを前後（Ｚ方向）に移動させるＺ方向移動機構２ｆ、他覚式検眼を行うための種々の動作処理プログラムを記憶するプログラムメモリ２ｇ、被検者の被検眼を照明する照明光学系２ｈ、被検者の被検眼からの反射光を検出する光学系２ｉ、被検者の被検眼の高さ位置情報を記憶するメモリ２ｊ、被検眼に対して検眼ユニットがアライメントされているかどうかを検出するアライメント検出回路２ｋ、およびインターフェース２ｌから構成される。
【００１７】
自覚式検眼装置３は、自覚式検眼用の球面レンズ、円柱レンズ等のレンズ群３ａおよび各種のフィルタ群３ｂを有し、検眼テーブル１に設けられた支柱１１および検眼アーム１２により被検者の顔の前に移動する。
【００１８】
視力表表示装置４は、検眼テーブル１の光送信ユニット１ｊから送信される被検眼の高さ位置情報に対応する光信号を受信する光受信ユニット４ａ、多種多様の視力検査用の視標チャートを被検者に表示する視力表表示ユニット４ｂ、視力表表示ユニット４ｂを上下（Ｚ３方向）に移動させる上下方向移動機構４ｃ、視力表表示装置４全体の制御を行うＣＰＵ４ｄ、上下方向移動機構４ｃを駆動する駆動回路４ｅ、各種動作処理プログラムを記憶するプログラムメモリ４ｆ、および被検者の被検眼の高さ位置情報を記憶するメモリ４ｇから構成される。
【００１９】
次に、本発明の第１の実施の形態の視機能検査システムの動作について説明する。
【００２０】
まず、被検者がイス５に座った後、検者が操作ユニット１ｈを操作して他覚式検眼装置移動機構１ｍにより他覚式検眼装置２をＺ１方向に図示しないガイドレールに沿って被検者の顔の前に移動させて他覚式検眼を行う。他覚式検眼は他覚式検眼装置２の図示しない終了スイッチや印刷スイッチ等を押すことにより終了し、ＣＰＵ１ａの制御による他覚式検眼装置移動機構１ｍにより他覚式検眼装置２を元の所定位置に自動的に退避させる。なお、退避が完了したかどうかはガイドレールに設けられている図示しないマイクロスイッチにより検知され、その検知信号はＣＰＵ１ａに送られる。
【００２１】
なお、被検眼に対する検眼ユニットのアライメント完了時の検眼ユニットのＹ方向の移動量はＣＰＵ２ａによって計算され、この移動量を基にして被検者の被検眼の高さ位置が求められる。被検者の被検眼の高さ位置情報はＣＰＵ２ａからインターフェース２ｌおよび１ｄを介して検眼テーブル１のＣＰＵ１ａに送られる。
【００２２】
上記の検知信号を受け取った後、ＣＰＵ１ａは、ＣＰＵ２ａから送られてきた被検眼の高さ位置情報を基にして駆動回路１ｆを制御し、自覚式検眼装置移動機構１ｌにより自覚式検眼装置３を被検者の顔の前に自動的に移動させて自覚式検眼装置３を検査可能状態にする。この場合、検眼アーム１２が支柱１１を基準として上または下に移動しながらスイングすることにより自覚式検眼装置３が被検者の顔の前に移動することになる。
【００２３】
被検者と視力表表示ユニット４ｂとの間のスペースが十分に確保されている場合には、視力表表示ユニット４ｂを上下移動等させる必要はないので、これにより、自覚式検眼が行われる。自覚式検眼が終了した後、ＣＰＵ１ａの制御による自覚式検眼装置移動機構１ｌにより自覚式検眼装置３を元の所定位置に自動的に退避させる。
【００２４】
一方、被検者と視力表表示装置４との間のスペースが十分に確保できない場合（被検者と視力表表示装置４との間の距離が１ｍ程度である場合）には、視力表表示装置４の視力表表示ユニット４ｂとして、例えば、図４に示すような構成を用いることができる。
【００２５】
図４は本発明の第１の実施の形態の視機能検査システムの視力表表示装置の視力表表示ユニットの構成を示す図である。図４において、視力表表示ユニット４ｂは、被検眼に視標チャートを投影するための視標チャートプロジェクタ７１、ミラー７２、回動可能に設けられた回動ミラー７３、凹面鏡７４、回動ミラー７３を回動させるためのパルスモータ等からなるミラー回動機構７５、および窓７６から構成されている。視標チャートプロジェクタ７１からの視標チャートの光束はミラー７２で反射され、回動ミラー７３を通過した後、凹面鏡７４で反射される。その反射光は回動ミラー７３で反射され、窓７６を通して被検眼Ｅに入射する。
【００２６】
ＣＰＵ１ａは、上述したように、被検者と視力表表示装置４との間のスペースが十分に確保されていない場合には、被検眼の高さ位置情報を視力表表示装置４に送る。すなわち、被検眼の高さ位置情報は図示しないＤ／Ａ変換器によりＤ／Ａ変換され、さらに光送信ユニット１ｊによって電気信号から光信号に変換された後、視力表表示装置４の光受信ユニット４ａに送信される。
【００２７】
被検眼の高さ位置情報に対応する光信号を受信した光受信ユニット４ａは、その光信号を電気信号に変換する。その電気信号は図示しないＡ／Ｄ変換器によりＡ／Ｄ変換された後、ＣＰＵ４ｄに送られる。
【００２８】
ＣＰＵ４ｄは、被検眼の高さ位置情報を基にして図示しない駆動回路を制御してミラー回動機構７５により回動ミラー７３を所定の回動量だけ回動させ、被検眼Ｅの高さ位置に合わせる。なお、回動ミラー７３を上または下に移動するようにしてもよい。または、上下方向移動機構４ｃにより視力表表示ユニット４ｂを上または下に移動させてもよい。
【００２９】
このような構成を有する視力表表示ユニット４ｂを用いれば、視力表表示ユニット４ｂを上または下に移動させ、または回動ミラー７３を回動させること等により容易に被検眼Ｅの高さ位置に合わせることができる。
【００３０】
（実施の形態２）
本発明の第２の実施の形態では、イスに座っている被検者の被検眼の高さ位置に発光ユニットを維持した後、発光ユニットから光を照射し、その光を視力表表示装置の光検出器で検出することにより被検眼の高さ位置情報を取得し、この高さ位置情報を基にして自覚式検眼装置、他覚式検眼装置、および視力表表示装置をそれぞれ検査可能状態にしている。
【００３１】
図５は本発明の第２の実施の形態の視機能検査システムの構成を示すブロック図、図６は本発明の第２の実施の形態の視機能検査システムの視力表表示装置の外観図である。図５および図６において、本発明の第２の実施の形態の視機能検査システムは、検眼テーブル８１、他覚式検眼装置２、自覚式検眼装置３、および視力表表示装置４１によって構成される。
【００３２】
検眼テーブル８１は、ＣＰＵ１ａ、プログラムメモリ１ｂ、メモリ１ｃ、インターフェース１ｄ、駆動回路１ｅ、１ｆ、１ｇ、操作ユニット１ｈ、被検者の被検眼の高さ位置情報を光信号として視力表表示装置４から受信する光受信ユニット１ｋ、自覚式検眼装置移動機構１ｌ、他覚式検眼装置移動機構１ｍ、および照明ユニット１３から構成されている。
【００３３】
他覚式検眼装置２は、第１の実施の形態と同様に、ＣＰＵ２ａ、操作ユニット２ｂ、表示ユニット２ｃ、プリンタ２ｄ、ＸＹ方向移動機構２ｅ、Ｚ方向移動機構２ｆ、プログラムメモリ２ｇ、照明光学系２ｈ、光学系２ｉ、メモリ２ｊ、アライメント検出回路２ｋ、およびインターフェース２ｌから構成される。
【００３４】
自覚式検眼装置３は、第１の実施の形態と同様に、レンズ群３ａおよび各種フィルタ群３ｂを有している。
【００３５】
視力表表示装置４１は、多種多様の視力検査用のチャートを被検者に表示する表示部４ｊを有する視力表表示ユニット４ｂ、上下方向移動機構４ｃ、ＣＰＵ４ｄ、駆動回路４ｅ、プログラムメモリ４ｆ、メモリ４ｇ、発光ユニット１００からの光を検出する１次元ＰＳＤ（位置検出器）等で構成される光検出器４ｈ、および被検眼の高さ位置情報に対応する光信号を送信する光送信ユニット４ｉから構成される。
【００３６】
次に、本発明の第２の実施の形態の視機能検査システムの動作について説明する。
【００３７】
まず、被検者がイス５に座った後、検者は発光ユニット１００を被検者の被検眼の高さ位置に維持し、発光ユニット１００から視力表表示装置４に向けて光を照射する。発光ユニット１００から照射された光は光検出器４ｈで検出され、検出した光の検出位置分布を基にして被検眼の高さ位置がＣＰＵ４ｄにより求められる。
【００３８】
ＣＰＵ４ｄは、被検者と視力表表示装置４１との間のスペースが十分に確保されていない場合には求めた被検眼の高さ位置情報を基に駆動回路４ｅを制御し、上下方向移動機構４ｃにより視力表表示ユニット４ｂを上または下に移動させて視力表表示装置４を検査可能状態にする。または、上述したように、視力表表示ユニット４ｂ自体を移動させることなく回動ミラー７３を回動させるようにしてもよい。もちろん、被検者と視力表表示装置４１との間のスペースが十分に確保されている場合には視力表表示ユニット４ｂを上下移動等させる必要はない。また、被検眼の高さ位置情報は、図示しないＤ／Ａ変換器によりＤ／Ａ変換され、光送信ユニット４ｉによって光信号に変換された後、検眼テーブル８１の光受信ユニット１ｋに送信される。
【００３９】
光送信ユニット４ｉから送信された光信号は、光受信ユニット１ｋにおいて受信され、光受信ユニット１ｋによって電気信号に変換され、図示しないＡ／Ｄ変換器によってＡ／Ｄ変換された後、ＣＰＵ１ａに送られる。
【００４０】
被検眼の高さ位置情報を受け取ったＣＰＵ１ａは、その高さ位置情報を基にして駆動回路１ｇを制御し、他覚式検眼装置移動機構１ｍにより他覚式検眼装置２を被検者の顔の前に移動させて他覚式検眼装置２を検査可能状態にする。この場合、他覚式検査装置２のＸＹ方向移動機構２ｅによりＹ方向（高さ方向）の位置を被検眼の高さ位置に合わせる。これにより、他覚式検眼が行われる。
【００４１】
他覚式検眼が終了した後、他覚式検眼装置２を被検者の顔の前から元の所定位置に自動的に退避させる。その後、ＣＰＵ１ａは、被検眼の高さ位置情報を基にして駆動回路１ｆを制御し、自覚式検眼装置移動機構１ｌにより自覚式検眼装置３を被検者の顔の前に移動させて自覚式検眼装置３を検査可能状態にする。これにより、自覚式検眼が行われる。自覚式検眼が終了した後、自覚式検眼装置３を被検者の顔の前から元の所定位置に自動的に退避させる。
【００４２】
（実施の形態３）
本発明の第３の実施の形態では、自覚式検眼装置に設けられている発光ユニットおよび光検出器により被検者の被検眼の高さ位置情報を取得し、この高さ位置情報を基にして他覚式検眼装置や視力表表示装置をそれぞれ検査可能状態にしている。
【００４３】
図７は本発明の第３の実施の形態の視機能検査システムの構成を示すブロック図、図８は本発明の第３の実施の形態の視機能検査システムの自覚式検眼装置の外観図である。図７および図８において、本発明の第３の実施の形態の視機能検査システムは、検眼テーブル１、他覚式検眼装置２、自覚式検眼装置３１、および視力表表示装置４によって構成される。
【００４４】
検眼テーブル１は、第１の実施の形態と同様に、ＣＰＵ１ａ、プログラムメモリ１ｂ、メモリ１ｃ、インターフェース１ｄ、駆動回路１ｅ、１ｆ、１ｇ、操作ユニット１ｈ、光送信ユニット１ｊ、自覚式検眼装置移動機構１ｌ、他覚式検眼装置移動機構１ｍ、および照明ユニット１３から構成されている。
【００４５】
他覚式検眼装置２は、第１の実施の形態と同様に、ＣＰＵ２ａ、操作ユニット２ｂ、表示ユニット２ｃ、プリンタ２ｄ、ＸＹ方向移動機構２ｅ、Ｚ方向移動機構２ｆ、プログラムメモリ２ｇ、照明光学系２ｈ、光学系２ｉ、メモリ２ｊ、アライメント検出回路２ｋ、およびインターフェース２ｌから構成される。
【００４６】
自覚式検眼装置３１は、レンズ群３ａ、フィルタ群３ｂ、発光ユニット３ｃ、および１次元ＰＳＤ等で構成される光検出器３ｄを有する。被検者の被検眼の高さ位置を検出するために、発光ユニット３ｃは被検眼に向けて光を照射し、光検出器３ｄは被検眼からの反射光を検出する。
【００４７】
視力表表示装置４は、第１の実施の形態と同様に、光受信ユニット４ａ、視力表表示ユニット４ｂ、上下方向移動機構４ｃ、ＣＰＵ４ｄ、駆動回路４ｅ、プログラムメモリ４ｆ、およびメモリ４ｇから構成される。
【００４８】
次に、本発明の第３の実施の形態の視機能検査システムの動作について説明する。
【００４９】
まず、被検者がイス５に座った後、検者は自覚式検眼装置３１を被検者の顔の前に移動させる。その後、発光ユニット３ｃから被検眼に光を照射し、被検眼からの反射光を光検出器３ｄで検出する。検出した反射光の検出位置分布を基にして被検眼の高さ位置がＣＰＵ１ａにより求められる。
【００５０】
前述したように、被検者と視力表表示装置４との間のスペースが十分に確保されていない場合には、ＣＰＵ１ａは求めた被検眼の高さ位置情報を視力表表示装置４に送る。すなわち、被検眼の高さ位置情報は、Ｄ／Ａ変換され、さらに光送信ユニット１ｊによって電気信号から光信号に変換された後、視力表表示装置４の光受信ユニット４ａに送信される。被検眼の高さ位置情報に対応する光信号を受信した光受信ユニット４ａは、その光信号を電気信号に変換する。その電気信号は、Ａ／Ｄ変換された後、ＣＰＵ４ｄに送られる。
【００５１】
また、ＣＰＵ１ａは、求めた被検者の被検眼の高さ位置情報を基にして駆動回路１ｇを制御し、他覚式検眼装置移動機構１ｍにより他覚式検眼装置２を被検者の顔の前に移動させて他覚式検眼装置２を検査可能状態にする。この場合、他覚式検査装置２のＸＹ方向移動機構２ｅによりＹ方向（高さ方向）の位置を被検眼の高さ位置に合わせる。これにより他覚式検眼が行われる。他覚式検眼が終了した後、他覚式検眼装置２を元の所定位置に自動的に退避させる。
【００５２】
ＣＰＵ４ｄが被検眼の高さ位置情報を受け取った場合、ＣＰＵ４ｄは、その被検眼の高さ位置情報を基にして駆動回路４ｅを制御し、上下方向移動機構４ｃにより視力表表示ユニット４ｂを上または下に移動させて視力表表示装置４を検査可能状態にする。または視力表表示ユニット４ｂ自体を移動させることなく回動ミラー７３を回動させるようにしてもよい。これにより自覚式検眼が行われる。
【００５３】
自覚式検眼が終了した後、自覚式検眼装置３１を元の所定位置に自動的に退避させる。
【００５４】
（実施の形態４）
本発明の第４の実施の形態では、他覚式検眼装置に設けられている発光ユニットおよび光検出器により被検者の被検眼の高さ位置情報を取得し、この高さ位置情報を基にして自覚式検眼装置や視力表表示装置をそれぞれ検査可能状態にしている。図９は本発明の第４の実施の形態の視機能検査システムの構成を示すブロック図、図１０は本発明の第４の実施の形態の視機能検査システムの他覚式検眼装置の外観図である。図９および図１０において、本発明の第４の実施の形態の視機能検査システムは、検眼テーブル１、他覚式検眼装置２１、自覚式検眼装置３、および視力表表示装置４によって構成される。
【００５５】
検眼テーブル１は、第１の実施の形態と同様に、ＣＰＵ１ａ、プログラムメモリ１ｂ、メモリ１ｃ、インターフェース１ｄ、駆動回路１ｅ、１ｆ、１ｇ、操作ユニット１ｈ、光送信ユニット１ｊ、自覚式検眼装置移動機構１ｌ、他覚式検眼装置移動機構１ｍ、および照明ユニット１３から構成されている。
【００５６】
他覚式検眼装置２１は、ＣＰＵ２ａ、操作ユニット２ｂ、表示ユニット２ｃ、プリンタ２ｄ、ＸＹ方向移動機構２ｅ、Ｚ方向移動機構２ｆ、プログラムメモリ２ｇ、照明光学系２ｈ、光学系２ｉ、メモリ２ｊ、アライメント検出回路２ｋ、インターフェース２ｌ、発光ユニット２ｍ、および１次元ＰＳＤ等で構成される光検出器２ｎから構成される。被検者の被検眼の高さ位置を検出するために、発光ユニット２ｍは被検者の被検眼に向けて光を照射し、光検出器２ｎは被検眼からの反射光を検出する。
【００５７】
なお、図１０は被検者側から見た他覚式検眼装置の外観図であり、他覚式検眼を行う場合には、被検者の顎を顎受け８０に載せるようにする、なお、顎受け８０には図示しないパルスモータ等が接続されており、ＣＰＵ２ａの制御の下にこのパルスモータにより顎受け８０を自動的に上または下に移動させることができる。もちろん、顎受け８０を手動により上または下に移動させることも可能である。
【００５８】
自覚式検眼装置３は、第１の実施の形態と同様に、レンズ群３ａおよびフィルタ群３ｂを有する。
【００５９】
視力表表示装置４は、第１の実施の形態と同様に、光受信ユニット４ａ、視力表表示ユニット４ｂ、上下方向移動機構４ｃ、ＣＰＵ４ｄ、駆動回路４ｅ、プログラムメモリ４ｆ、およびメモリ４ｇから構成される。
【００６０】
次に、本発明の第４の実施の形態の視機能検査システムの動作について説明する。
【００６１】
まず、被検者がイス５に座った後、検者が操作ユニット１ｈを操作して他覚式検眼装置移動機構１ｍにより他覚式検眼装置２１をＺ１方向に沿って被検者の顔の前に移動させる。その後、発光ユニット２ｍから被検者の被検眼に光を照射して被検眼からの反射光を光検出器２ｎで検出する。検出した反射光の検出位置分布を基にして被検眼の高さ位置がＣＰＵ１ａにより求められる。
【００６２】
被検者が顎を顎受け８０に載せることによって他覚式検眼が行われる。他覚式検眼が終了した後、他覚式検眼装置３を元の所定位置に自動的に退避させる。
【００６３】
なお、他覚式検眼装置３のＸＹ方向移動機構２ｅによるＹ方向（高さ方向）の位置合わせだけでは被検者の被検眼の高さ位置に合わない場合には、被検者ができるだけ自然に顎受け８０に顎が載せられるように、顎受け８０を上または下に移動させておく。例えば、被検者が大人または子供である等の区別を行うことができれば、その結果に応じて顎受け８０の位置を決定する。これにより、被検者が顎受け８０に違和感なく顎を載せることができる。
【００６４】
その後、ＣＰＵ１ａは、求めた被検眼の高さ位置情報を基に駆動回路１ｆを制御し、自覚式検眼装置移動機構１ｌにより自覚式検眼装置３を被検者の顔の前に移動させて自覚式検眼装置３を検査可能状態にする。
【００６５】
また、前述したように、被検者と視力表表示装置４との間のスペースが十分に確保されていない場合には、ＣＰＵ１ａは、求めた被検眼の高さ位置情報を視力表表示装置４に送る。すなわち、被検眼の高さ位置情報はＤ／Ａ変換され、さらに光送信ユニット１ｊによって電気信号から光信号に変換された後、視力表表示装置４の光受信ユニット４ａに送信される。
【００６６】
被検眼の高さ位置情報に対応する光信号を受信した光受信ユニット４ａは、その光信号を電気信号に変換する。その電気信号は、Ａ／Ｄ変換された後、ＣＰＵ４ｄに送られる。ＣＰＵ４ｄは、被検眼の高さ位置情報を基にして駆動回路４ｅを制御し、上下方向移動機構４ｃにより視力表表示ユニット４ｂを上または下に移動させて視力表表示装置４を検査可能状態にする。または、上述したように、視力表表示ユニット４ｂ自体を移動させることなく回動ミラー７３を回動させるようにしてもよい。
【００６７】
これにより、自覚式検眼が行われる。自覚式検眼が終了した後、自覚式検眼装置３を元の所定位置に自動的に退避させる。
【００６８】
（実施の形態５）
本発明の第５の実施の形態では、上述した検眼テーブルと異なる検眼テーブルに他覚式検眼装置を載せ、他覚式検眼装置により被検者の被検眼の高さ位置情報を検出し、その後、それぞれ別の検眼テーブルに設けられた複数の自覚式検眼装置の何れの装置により自覚式検眼を行う場合にも被検眼の高さ位置情報を基にして自覚式検眼装置を検査可能状態にしている。
【００６９】
図１１は本発明の第５の実施の形態の視機能検査システムの検眼テーブルの外観図、図１２は本発明の第５の実施の形態の視機能検査システムの検眼テーブルの断面を含む図、図１３は本発明の第５の実施の形態の視機能検査システムの構成を示す図である。
【００７０】
従来から、検眼テーブル上に載せられる視機能を検査するための他覚式検眼装置等の視機能検査装置には通信用ケーブルや電源ケーブルが装備されている。各ケーブルは検眼テーブル上に煩雑に載せられていたりまたは検眼テーブルの上面を通って検眼テーブルの接地用コンセントや外部コンセントに接続され、通信用ケーブルにより他の視機能検査装置との間の通信を行っている。しかし、このような状態では、検眼テーブルに載せられた視機能検査装置の操作に障害が生じたり、外観上見苦しい。
【００７１】
従って、図１１および図１２に示すように、検眼テーブル５１は、電源ケーブル４１および通信用ケーブル４２を備えた他覚式検眼装置２等の視機能検査装置を載せるために用いられ、電源ケーブル４１および通信用ケーブル４２を収納するための溝部分５２およびその中央部に形成された穴５３を有している。検眼テーブル５１の中央に設けた溝部分５２に他覚式検眼装置２の電源ケーブル４１や通信用ケーブル４２を回して収納し、電源ケーブル４１や通信用ケーブル４２を穴５３を通して検眼テーブル５１に備え付けられている電源コンセント５４および通信用コンセント５５にそれぞれ接続する。なお、溝部分５２の形状は螺旋状にしてもよく、また、溝部分５２の形成位置は検眼テーブル５１の中央に限られない。
【００７２】
これにより、検眼テーブル５１上に載せられる他覚式検眼装置２の電源ケーブル４１や通信用ケーブル４２を装置の外部に露出させることなく検眼テーブル５１の溝部分５３に収納させることができるため、視機能検査装置の操作性を向上させることができ、外観上も見苦しくなくなる。また、操作者等が各ケーブルに手や足をからめてまたは引っかけて転倒するというような事故を未然に防止することができる。
【００７３】
図１３に示すように、被検者の被検眼の高さ位置情報は、他覚式検眼装置２によりそのアライメント時に検出された後、検眼テーブル５１の送信ユニット５６から自覚式検眼装置７１、７２、７３がそれぞれ載せられている検眼テーブル６１、６２、６３の受信ユニット６１ａ、６２ａ、６３ａに被検者のＩＤ情報と共に送られ、図示しないメモリに対応付けて記憶される。従って、この被検眼の高さ情報を基にして何れの自覚式検眼装置７１、７２、７３をも検査可能状態にすることができるので、何れの自覚式検眼装置７１、７２、７３によっても被検者に対して自覚式検眼を行うことができる。例えば、被検者のＩＤ情報を基にして被検者の被検眼の検査を行うための自覚式検眼装置のメモリから被検眼の高さ位置情報を読み出し、この被検眼の高さ位置情報を基にしてその自覚式検眼装置を被験者の顔の前に移動させる。
【００７４】
なお、上述したように、検眼アームが支柱を基準として上または下に移動しながらスイングすることにより対応する自覚式検眼装置が被検者の顔の前に移動することになる。また、各自覚式検眼装置７１、７２、７３の前には所定距離離れて視力表表示装置９１、９２、９３がそれぞれ対応して配置され、被検者と視力表表示装置９１、９２、９３との間のスペースが十分に確保されていない場合には、被検眼の高さ位置情報は対応する視力表表示装置９１、９２、９３にも送られるので、視力表表示装置９１、９２、９３では上述したように被検眼の高さ位置に合わせる動作が行われる。
【００７５】
以上、本発明によれば、被検者の被検眼の高さ位置情報を基にして自覚式検眼装置、他覚式検眼装置、視力表表示装置等の各検眼装置を自動的に検査可能状態にしている。しかし、この高さ位置情報を被検者ごとに例えば検眼テーブル内に設けられているメモリに長期に記憶させておけば、再度メガネを作る場合等において被検者に対して検査を行う際には、このメモリに記憶されている対応する被検者の被検眼の高さ位置情報を読み出し、読み出したその高さ位置情報を基にして各検眼装置を自動的に検査可能状態にすることができる。
【００７６】
【発明の効果】
以上のように、本発明によれば、他覚式検眼時に検眼テーブルと対になっているイスに座った被検者の被検眼の高さ位置を検出し、検出した被検者の被検眼の高さ位置情報に応じて続いて行われる自覚式検眼において、自覚式検眼装置を自動的に前記被検眼の高さ位置に合うように移動させることができるので、従来のように検者による前記自覚式検眼装置を各検査毎に前記被検眼の高さ位置に合うように移動する作業を行う手間を省くことができ、また、検者に検眼作業の経験がなくとも正確な視機能検査が可能な状態にすることができる。従って、検眼作業のための検査装置設定時間を含む検査時間の短縮を図ることができ、また、検者の経験や検眼作業の正確さ等を必要とすることなく、正確な検眼を行うことが可能となる。
【図面の簡単な説明】
【図１】本発明の第１の実施の形態の視機能検査システムの概略構成を示す外観図である。
【図２】本発明の第１の実施の形態の視機能検査システムの概略構成を上から見た図である。
【図３】本発明の第１の実施の形態の視機能検査システムの構成を示すブロック図である。
【図４】本発明の第１の実施の形態の視機能検査システムの視力表表示装置の視力表表示ユニットの構成を示す図である。
【図５】本発明の第２の実施の形態の視機能検査システムの構成を示すブロック図である。
【図６】本発明の第２の実施の形態の視機能検査システムの視力表表示装置の外観図である。
【図７】本発明の第３の実施の形態の視機能検査システムの構成を示すブロック図である。
【図８】本発明の第３の実施の形態の視機能検査システムの自覚式検眼装置の外観図である。
【図９】本発明の第４の実施の形態の視機能検査システムの構成を示すブロック図である。
【図１０】本発明の第４の実施の形態の視機能検査システムの他覚式検眼装置の外観図である。
【図１１】本発明の第５の実施の形態の視機能検査システムの他覚式検眼装置および検眼テーブルの外観図である。
【図１２】本発明の第５の実施の形態の視機能検査システムの検眼テーブルの断面を含む図である。
【図１３】本発明の第５の実施の形態の視機能検査システムの構成を示す図である。
【符号の説明】
１、５１、６１、６２、６３、８１  検眼テーブル
２、２１  他覚式検眼装置
３、３１、７１、７２、７３  自覚式検眼装置
４、４１、９１、９２、９３  視力表表示装置
【図１】
0003779448.tif 000002
【図２】
0003779448.tif 000003
【図３】
0003779448.tif 000004
【図４】
0003779448.tif 000005
【図５】
0003779448.tif 000006
【図６】
0003779448.tif 000007
【図７】
0003779448.tif 000008
【図８】
0003779448.tif 000009
【図９】
0003779448.tif 000010
【図１０】
0003779448.tif 000011
【図１１】
0003779448.tif 000012
【図１２】
0003779448.tif 000013
【図１３】
0003779448.tif 000014